(57)【要約】  【課題】  ハウジングの開口を覆う固定刃の取り付け形態の改良により、該固定刃に設けられた刃孔と回転刃に設けられた切刃とを隙間なく摺接させて、刃孔から突出する対象物を確実に切断することが可能な回転切断装置を提供する。  【解決手段】  外周に切刃13，13…を有し、軸回りに回転する回転刃１と、回転刃１を収容するハウジング２と、回転刃１の外周に沿わせてハウジング２に取り付けられた板状の固定刃３とを備え、固定刃３の各刃孔からハウジング２の内側に突出する対象物を、固定刃３の内面に摺接する回転刃１の切刃13，13…の作用により切断する回転切断装置において、回転刃１の回転方向上流側の固定刃３の一縁を、掛持突起46への掛け止めにより片持ち支持し、面内及び面直角方向に変位自在に動き易く取り付ける。【選択図】      図１
2006321020.tif 000002
【特許請求の範囲】
【請求項１】
外周に切刃を有し、軸回りに回転する回転刃と、該回転刃を収容するハウジングと、縦横に並ぶ複数の刃孔を有し、前記回転刃の外周に沿わせて前記ハウジングに設けた開口に取り付けられた板状の固定刃とを備え、該固定刃の内面に夫々の刃孔から突出する対象物を、前記内面に摺接する前記回転刃の切刃の作用により切断する回転切断装置において、  前記固定刃は、前記回転刃の回転方向上流側の一縁を前記開口の周縁部に掛け止めて片持ち支持し、面内方向及び面直角方向に変位自在に動き易くして取り付けてあることを特徴とする回転切断装置。
【請求項２】
前記固定刃の外面と隙間を隔てて対向する支え突起を、前記一縁の近傍と、該一縁から離れて位置する他縁の近傍とに夫々備え、前記固定刃の外側への変位を、前記支え突起の一方又は両方との当接部のみを支えとする傾倒又は撓みにより許容する構成としてある請求項１記載の回転切断装置。
【請求項３】
前記支え突起は、前記一縁又は他縁の略全幅に亘って延設してある請求項２記載の回転切断装置。
【請求項４】
前記ハウジングは、掃除機の吸塵パイプへの接続部を有しており、前記回転刃は、前記吸塵パイプに吸い込まれる吸気の作用により回転する羽根車としてある請求項１乃至請求項３のいずれかに記載の回転切断装置。
【発明の詳細な説明】
【技術分野】
【０００１】
本発明は、繊維製品の表面に生成された毛玉等の対象物を切断、除去すべく用いられる回転切断装置に関する。
【背景技術】
【０００２】
衣服、絨毯等の繊維製品においては、使用中に加えられる摩擦の作用により表面の繊維が寄り固められて毛玉が生成され、製品の見栄えを損なうという問題があり、従来から、このような毛玉の切断、除去を目的とする回転切断装置が提案されている（例えば、特許文献１参照）。
【０００３】
この回転切断装置は、ハウジングの内部にて軸回りに回転する回転刃と、該回転刃の外周に沿って前記ハウジングに設けた開口を覆うように取り付けられた薄肉板状の固定刃とを備えている。回転刃の外周には、軸長方向に延びる切刃が設けられ、また固定刃には、夫々の周縁に刃部を備える複数の貫通孔（刃孔）が縦横に並設されており、回転刃の回転周上において前記切刃及び刃孔が摺接して切断作用をなすように構成されている。
【０００４】
このように構成された回転切断装置は、毛玉が生成された繊維製品の表面にハウジングの開口を覆う固定刃の外面を当て、前記回転刃を回転させて用いられる。これにより前記毛玉は、固定刃に並設された刃孔に受容されて内側に突出し、該刃孔に摺接する回転刃の切刃の作用により切断される。
【０００５】
更に特許文献１に開示された回転切断装置においては、前記ハウジングを掃除機の吸塵ホースに接続し、該吸塵ホースへの吸気がハウジングに設けた開口を経て生じるようになし、また回転刃をこの吸気の作用により回転力を発生する羽根車として構成してある。
【０００６】
この構成によれば、回転刃の回転のための専用の動力源が不要である上、固定刃の各刃孔への毛玉の受容が吸気の作用により促進されるため、目的とする繊維製品の毛玉取りを簡素な構成にて確実に行わせることができ、更に、切断された毛玉が吸気と共に吸塵ホースに吸込まれて回収されるため、後処理が不要となり使い勝手が良好となる。
【特許文献１】特開平７−８８７９７号公報
【発明の開示】
【発明が解決しようとする課題】
【０００７】
さて以上の如く構成された回転切断装置において、各刃孔に受容される毛玉の切断を確実に行わせるには、前記回転刃の周面に設けられた切刃が、刃孔が設けられた前記固定刃の内面に隙間なく摺接することが重要である。
【０００８】
ところが前記固定刃は、ハウジングの開口に沿って固定支持された薄肉の板材であり、前記ハウジングは、高い形状精度が得難い樹脂製の成形品であることから、前記回転刃の切刃と前記固定刃の刃孔との間の隙間を排除した組み付けを行うことは難しい。
【０００９】
外周に切刃を備える回転刃と、刃孔を備える薄肉板状の固定刃との間にて対象物を切断する構成とした回転切断装置は、電動式の髭剃り器としても実用化されている。この種の髭剃り器においては、固定刃の成形精度及び加工精度を高めることにより切刃との間の隙間を可及的に排除し、確実な切断による満足すべき切れ味を実現している。
【００１０】
ところが、繊維製品の表面に生成される毛玉を切断、除去することを目的として構成された回転切断装置においては、絨毯等の大面積の繊維製品をも対象とするために、回転刃及びハウジングと共に固定刃のサイズが大きくならざるを得ず、髭剃り器におけると同様に、固定刃の成形及び加工精度を高めて隙間を排除することは難しい。
【００１１】
本発明は斯かる事情に鑑みてなされたものであり、回転刃の外周に沿って設けたハウジングの開口を覆う固定刃の取り付け形態の改良により、該固定刃に設けられた刃孔と回転刃に設けられた切刃とを隙間なく摺接させて、刃孔からの突出物を確実に切断することが可能な回転切断装置を提供することを目的とする。
【課題を解決するための手段】
【００１２】
本発明の第１発明に係る回転切断装置は、外周に切刃を有し、軸回りに回転する回転刃と、該回転刃を収容するハウジングと、縦横に並ぶ複数の刃孔を有し、前記回転刃の外周に沿わせて前記ハウジングに設けた開口に取り付けられた板状の固定刃とを備え、該固定刃の内面に夫々の刃孔から突出する対象物を、前記内面に摺接する前記回転刃の切刃の作用により切断する回転切断装置において、前記固定刃は、前記回転刃の回転方向上流側の一縁を前記開口の周縁部に掛け止めて片持ち支持し、面内方向及び面直角方向に変位自在に動き易くして取り付けてあることを特徴とする。
【００１３】
本発明においては、固定刃の取り付けを、回転刃の回転方向上流側のみの掛持により面内及び面直角方向に自在に変位し得るように実施し、回転刃の周上の切刃と固定刃との摺接を、摺接位置の変化に応じた固定刃の追従変位を伴って生ぜしめ、この摺接部にてなされる切断を、確実に、しかも安定して行わせる。
【００１４】
また本発明の第２発明に係る回転切断装置は、前記固定刃の外面と隙間を隔てて対向する支え突起を、前記一縁の近傍と、該一縁から離れて位置する他縁の近傍とに夫々備え、前記固定刃の外側への変位を、前記支え突起の一方又は両方との当接部のみを支えとする傾倒又は撓みにより許容する構成としてあることを特徴とする。
【００１５】
この発明においては、回転刃の切刃との摺接下にて外向きに変位する固定刃を、掛持された側及び逆側の縁部の近傍に夫々対向配置された支え突起の一方又は両方に当接させて支え、一方の支え突起の作用下での傾倒又は両方の支え突起の作用下での撓みによって固定刃の外側への追従変位を確実に行わせて良好な摺接状態を実現する。
【００１６】
また本発明の第３発明に係る回転切断装置は、前記支え突起が、前記一縁又は他縁の略全幅に亘って延設してあることを特徴とする。
【００１７】
この発明においては、固定刃の全幅に亘って支え突起を当接させ、該支え突起により支えられた状態での固定刃の姿勢を安定させ、固定刃の追従変位を確実に生じさせる。
【００１８】
更に本発明の第４発明に係る回転切断装置は、前記ハウジングが、掃除機の吸塵パイプへの接続部を有しており、前記回転刃が、前記吸塵パイプに吸い込まれる吸気の作用により回転する羽根車としてあることを特徴とする。
【００１９】
この発明においては、回転刃を羽根車とし、吸塵パイプへの吸気の作用により回転させて、専用の駆動源を不要とする。
【発明の効果】
【００２０】
本発明の第１発明に係る回転切断装置においては、回転刃の回転方向上流側の縁部のみの掛け止め支持により取り付けられた固定刃が、回転刃の回転に伴って面内及び面直角方向に追従変位するから、回転刃の外周の切刃との摺接による対象物の切断を、確実に安定して行わせることが可能となり、またこのために固定刃の加工及び組付け精度を過度に高める必要もなく、大形の装置においても適用可能である。
【００２１】
また第２発明に係る回転切断装置においては、回転刃の回転に伴って外向きに変位する固定刃が限定された２位置にて当接する支え突起により支えられるから、固定刃の追従変位は、一方のみにより支えられた状態での傾倒、又は両方により支えられた状態での撓みにより確実に生じ、回転刃外周の切刃との良好な摺接状態を実現することができる。
【００２２】
また第３発明に係る回転切断装置においては、支え突起を固定刃の全幅に亘って延設したから、該支え突起により支えられた状態での固定刃の姿勢が安定し、回転刃外周の切刃との摺接状態を良好に維持することができる。
【００２３】
更に第４発明に係る回転切断装置においては、回転刃を収容するハウジングを掃除機の吸塵パイプに接続可能とし、また羽根車として構成された回転刃を用いたから、吸塵パイプへの吸気の作用により回転刃を回転させることができ、モータ等の専用の駆動源を不要として装置構成の簡素化を図ることが可能となる等、本発明は優れた効果を奏する。
【発明を実施するための最良の形態】
【００２４】
以下本発明をその実施の形態を示す図面に基づいて詳述する。図１は、本発明に係る回転切断装置の側断面図である。図示の如く本発明に係る回転切断装置は、回転刃１と、該回転刃１を収容するハウジング２と、板状をなす固定刃３とを備えてなる。
【００２５】
回転刃１は、回転軸10が嵌着された中心のボス部11に、周方向に等配をなし、径方向外向きに突設された複数枚（図においては５枚）の羽根板12，12…を一体に備える羽根車として構成されており、夫々の羽根板12，12…の先端には、各１枚の切刃13，13…が取り付けられ、また夫々の羽根板12，12…の間には、重錘板14，14…が取り付けられている。
【００２６】
図２は、回転刃１の外観斜視図である。本図に示す如く羽根板12，12…の夫々は、ボス部11から径方向に外向きに突設された脚部 12aと、該脚部 12aの先端に連続し、周方向の一側に向けて屈曲する屈曲部 12bとを備えており、該屈曲部 12bには、先端に開口を有するスリット 12cが全幅に亘って設けられている。
【００２７】
このような羽根板12に取り付けられる切刃13は、図２に示す如く、羽根板12と略同幅の平板状をなす基部 13aと、該基部 13aに連続し、一側に屈曲された刃部 13bとを備えており、図２中に矢符により示す如く、羽根板12先端のスリット 12cに基部 13aを差し込み、刃部 13bの向きを屈曲部 12bと屈曲の向きと逆向きとして取り付けられている。
【００２８】
なお切刃13の基部 13aの両側には、鍔部 13c,13cが外向きに突設されており、また羽根板12の屈曲部 12bの先端部両側には、各羽根板12，12…間にて同一円周上に連続するように切欠き溝 12d,12dが設けられており、各羽根板12のスリット 12cに差し込まれた切刃13は、全ての羽根板12，12間に掛け渡すように切欠き溝 12d,12dに巻着される止め輪（図示せず）により両側の鍔部 13c,13cを抑え、外側への抜け出し不可に拘束されている。
【００２９】
図３は、重錘板14の外観斜視図である。本図に示す如く重錘板14は、適宜の曲率にて湾曲する本体板 14aと、該本体板 14aの一縁の略中央部に連設され、湾曲円の径方向内側に向けて延びる座板 14bとを備える金属製の板である。座板 14bには、幅方向に所定長離隔した位置を厚さ方向に貫通する位置決め孔 14c及び固定孔 14dが並設されており、また本体板 14aの幅方向中央部には、位置決め孔 14c及び固定孔 14dの並設幅の相当部分を、座板 14bと略直角をなすように切り起こしてなる逃げ部 14eが設けられている。
【００３０】
図２に示す如く回転刃１のボス部11の外側には、各羽根板12，12…の間の幅方向の略中央に、以上の如き重錘板14，14…を固定するための固定座15，15…が設けられている。この固定座15は、ボス部10の径方向と略直交する座面を有しており、この座面には、幅方向の一側に位置決め突起 15aが突設され、他側にねじ孔 15bが形成されている。
【００３１】
これらの位置決め突起 15a及びねじ孔 15bの並設間隔は、重錘板14の座板 14bにおける前記位置決め孔 14c及び固定孔 14dの並設間隔と合わせてあり、このような固定座15への重錘板14の固定は、座板 14bの位置決め孔 14cを位置決め突起 15aに嵌め込み、このとき固定孔 14dの内側に整合するねじ孔 15bに固定ねじ16（図４参照）を締め付けることにより、座板 14bを固定座15の座面に着座させてなされている。
【００３２】
図４は、重錘板14が固定された回転刃１の外観斜視図、図５は、同じく側面図であり、これらの図及び図１に示す如く重錘板14は、本体板 14aの湾曲方向が羽根板12における屈曲部 12bの屈曲方向と同向きとなるように固定されている。なお、重錘板14に設けられた逃げ部 14eは、前述の如くなされる重錘板14の固定に際し、相隣する羽根板12，12の間からの座板 14bの直線的な見通しを可能とし、位置決め孔 14cへの位置決め突起 15aの嵌め込み、及び固定孔 14dの内側のねじ孔 15bへの固定ねじ16の締め付け操作を、図５中に矢符により示すように、回転刃１の外周部からの見通し下にて行わせるために設けられている。
【００３３】
図６は、回転刃１を収容するハウジング２の側断面図である。本図に示す如くハウジング２は、羽根板12，12…の先端に取り付けられた切刃13，13…を含めて回転刃１の受容が可能な内径を有する円筒形の中空容器であり、その周壁には、後述の如く固定刃３の取り付けがなされる取り付け口20と外気を吸気するための吸気口21とが、周方向に相隣する位置に開設されており、取り付け口20及び吸気口21の他側には、図示しない掃除機の吸塵パイプへの接続のための接続管22が一体に連設されている。
【００３４】
図７は、固定刃３の取り付け口20の開設位置近傍を拡大して示す斜視図である。本図に示す如く、ハウジング２は外周に沿って開設された取り付け口20の内側には、これに沿って湾曲する押えリブ23が、同側の端壁24から適宜の高さを有して突設されている。この押えリブ23は、図７と逆側のハウジング２の端壁にも同様に設けてあり、取り付け口20の幅方向の両側を縁取るように位置している。
【００３５】
このように開設された取り付け口20への固定刃３の取り付けは、ホルダ４を介してなされている。図８は、固定刃３の外観斜視図であり、本図に示す如く固定刃３は、弾性に富む薄肉の金属板の略全面に、縦横に並設された多数の刃孔30，30…を備えており、これらの刃孔30，30…の並設域の両側には、夫々の側の端縁に沿って大面積の係止孔31，31…が並設されている。
【００３６】
図９は、固定刃３をホルダ４に保持させた状態を示す外観斜視図、図10は、同じく側断面図である。これらの図に示す如くホルダ４は．ハウジング２の外形に対応する曲率を有して円弧形に湾曲する湾曲部40の中央に矩形の開口41を設けてなる枠体であり、湾曲部40の一側を連絡する平坦部42には、幅方向の両側に固定ブラケット43，43を備える固定縁44が設けられ、また湾曲部の他側を連絡する平坦部45には、これに沿って複数の掛け止め突起46，46…が並設されている。これらの掛け止め突起46，46…は、基部から先端部に向けて内側の厚みを減じる台形形状を有しており、夫々の先端部には、外向き鉤形に屈曲させてある。
【００３７】
以上の如き掛け止め突起46，46…の並設数及び並設間隔は、固定刃３の係止孔31，31…の並設数及び並設間隔に対応させてあり、固定刃３は、図９、図10に示す如く、一側の端縁に沿って並ぶ係止孔31，31…を掛け止め突起46，46…に掛け止め、同側の端縁を平坦部45上に載置し、また他側の端縁を平坦部42上に載置した状態で保持させてある。
【００３８】
またホルダ４の湾曲部40の内面には、平坦部42，45に沿う開口41の両端縁の近傍に支え突起47，47が突設されている。これらの支え突起47，47は、図10に示す如く、小径の半円形断面を有し前述の如く保持された固定刃３の下面に対向しており、図９に示す如く、ホルダ４の全幅に亘って延設されている。
【００３９】
以上の如く固定刃３を保持するホルダ４は、図１に示す如く、ハウジング２に開設された取り付け口20の一縁に一側（平坦部45の側）を差し込み、この差し込み端を枢軸としてを回動させて取り付け口20に円弧部40を沿わせた状態とし、他側（平坦部42の側）に設けた固定ブラケット43，43を、取り付け口20の同側にねじ止めして取り付けられる。これにより固定刃３は、取り付け口20の両側に設けた押えリブ23，23の作用により、ホルダ４の円弧部40に設けられた開口部41に沿うように湾曲せしめられ、図１に示す状態に取り付けられることとなり、このとき固定刃３の外面は、円弧部40に前述の如く突設された支え突起47，47に適宜の隙間を介して対向した状態となる。
【００４０】
このように取り付けられた固定刃３は、面内方向においては．係止孔31，31…と掛け止め突起46，46…との掛け止め部に確保された隙間の範囲内にて自在に変位可能である。また、面直角方向においては、支え突起47，47との間に確保された隙間内にて自在に変位することができ、更に、支え突起47，47との当接後においても、一方の支え突起47との当接位置を支点とする傾倒と、両方の支え突起47，47との当接位置間での撓みにより自在に変位可能である。
【００４１】
以上の如く構成された本発明に係る回転切断装置は、ハウジング２の接続管22を掃除機の吸塵パイプに接続し、該掃除機の運転により、図１中に白抜矢符により示す如く、接続管22中に吸気を生じさせる一方、取り付け口20に前述の如く取り付けられた固定刃３を、対象物の表面、例えば、絨毯等の繊維製品の表面に当てて用いられる。
【００４２】
ハウジング２の内部は、周壁に開設された吸気口21と、固定刃３のホルダ４に設けた開口部41とを介して外部に連通しており、前述の如き吸気が生じた場合、ハウジング２の内部には、図１中に矢符により示す如く、吸気口21及び開口部41を経て外気が吸い込まれることとなり、このように生じる吸気の流れは、ハウジング２の内部に支持された回転刃１の羽根板12，12…に当り、該回転刃１は半時計回りに回転せしめられる。
【００４３】
また開口部41を経て生じる吸気により、該開口部41を覆う固定刃３が当てられた対象物の表面からの突出物、例えば、絨毯の表面に生成される毛玉が吸い込まれ、固定刃３の各刃孔30，30…からハウジング２の内部に突出する。このときハウジング２の内部においては、前記吸気の作用により回転刃１が回転しており、該回転刃１の外周、即ち、各羽根板12，12…の先端に取り付けた切刃13，13…が固定刃３の内面に順次摺接するから、前記毛玉等の突出物は、夫々が突出する刃孔30，30…と前記切刃13との相乗作用により切断される。なおこのように切断される切断物は、前記吸気と共に接続管22を経て吸塵パイプに吸込まれ、掃除機の集塵部に回収される。
【００４４】
本発明に係る回転切断装置において、固定刃３は、ホルダ４の掛け止め突起46，46…への掛け止めにより、回転刃１の回転方向上流側の一縁を片持ち支持し、他の部分に何らの拘束も加えずに面内方向及び面直角方向に変位自在に取り付けてある。このように取り付けられた固定刃３は、回転刃１の外周に設けた切刃13に、まず掛持側において当接し、その後の回転刃１の回転に応じた切刃13の移動に伴って、前述した変位の組み合わせにより追従変位するから、該固定刃３の略全面に設けた刃孔30，30…と、前記回転刃２の切刃13との摺接は常に良好になされ、この摺接部における前述した切断を、確実に、しかも安定して行わせることができる。
【００４５】
またこのような摺接状態は、前述の如く、支え突起47，47の一方により支えられた状態での固定刃３の傾倒、又は両方の支え突起47，47により支えられた状態での固定刃３の撓みにより維持されるから、該固定刃３の形状精度及び組み付け精度を過度に高める必要がない。従って、実施の形態に示す如く、掃除機の吸塵パイプに接続して用いることを前提とした大型の回転切断装置においても良好で安定した切断を行わせることが可能となり、更に、髭剃り器等の小型の回転切断装置に適用した場合、加工及び組立て精度の緩和により製品コストの低減に寄与することができる。
【００４６】
また以上の如き動作中に固定刃３を支える支え突起47，47は、前記固定刃３の全幅に亘って延設されているから、これらの支え突起47，47による全幅に亘る支え下での固定刃３の姿勢は安定し、更に支え突起47，47は、夫々の位置にて固定刃３に線接触しているのみであり、固定刃３の面内方向の変位を阻害する虞れは小さく、回転刃１の回転に応じた固定刃３の追従変位を確実に行わせることができる。
【００４７】
なお以上の実施の形態においては、回転刃１が、ハウジング２内への吸気の作用により回転力を生じる羽根車として構成された場合について述べたが、電動モータ等の回転駆動源からの伝動により回転する回転刃１を備える回転切断装置においても本発明の適用が可能であることは言うまでもない。
【図面の簡単な説明】
【００４８】
【図１】本発明に係る回転切断装置の側断面図である。
【図２】回転刃の外観斜視図である。
【図３】重錘板の外観斜視図である。
【図４】重錘板が固定された回転刃の外観斜視図である。
【図５】重錘板が固定された回転刃の側面図である。
【図６】回転刃を収容するハウジングの側断面図である。
【図７】固定刃の取り付け口の開設位置近傍を拡大して示す斜視図である。
【図８】固定刃の外観斜視図である。
【図９】固定刃をホルダに保持させた状態を示す外観斜視図である。
【図１０】固定刃をホルダに保持させた状態を示す側断面図である。
【符号の説明】
【００４９】
１    回転刃
２    ハウジング
３    固定刃
４    ホルダ
12    羽根板
13    切刃
14    重錘
20    取り付け口
30    刃孔
31    係止孔
46    掛け止め突起
47    支え突起
【図１】
2006321020.tif 000003
【図２】
2006321020.tif 000004
【図３】
2006321020.tif 000005
【図４】
2006321020.tif 000006
【図５】
2006321020.tif 000007
【図６】
2006321020.tif 000008
【図７】
2006321020.tif 000009
【図８】
2006321020.tif 000010
【図９】
2006321020.tif 000011
【図１０】
2006321020.tif 000012